(57)【特許請求の範囲】
【請求項１】
左右１対の脚体の上端部に連結した横連結杆の前面に、左右方向を向き、かつ下部開口縁に上向きの係止片を有する係合溝を設け、この係合溝よりも下方の横連結杆の前面を、前傾する傾斜受面とし、側面視ほぼ上向コ字状断面をなす配線ダクトにおける後部の上向き片を、前記傾斜受面と当接しうるように前傾させ、前記上向き片の上端部後面に設けた下向きの係合フックを、前記上向きの係止片に上方より係合することにより、配線ダクトを、その後部の上向き片の後面が前記傾斜受面に当接するようにして横連結杆の前面に取付けたことを特徴とする配線機能付き机。
【請求項２】
上向きの係止片を、傾斜受面と連続するように、前方に傾斜させてなる請求項１に記載の配線機能付き机。
【請求項３】
配線ダクトにおける上向き片の上端に、横連結杆における係合溝より上方の前面に圧接する弾性変形可能な押え片を、上向きに突設してなる請求項１または２に記載の配線機能付き机。
【請求項４】
押え片の後面に、係合溝の上部開口縁の下端に係合する突条を設けた請求項３に記載の配線機能付き机。
【請求項５】
横連結杆における係合溝よりも上方の前面を、後傾傾斜面としてなる請求項１〜４のいずれかに記載の配線機能付き机。
【請求項６】
後傾傾斜面を、係合溝を中心として下部の傾斜受面と上下対称をなすものとした請求項５に記載の配線機能付き机。
【請求項７】
配線ダクトの少なくとも、一方の側端を開放し、その開放端の近傍に、配線ダクトに収容したケーブル類を挿通して床面まで配線するケーブルガードを設けた請求項１〜６のいずれかに記載の配線機能付き机。
【発明の詳細な説明】
【技術分野】
【０００１】
本発明は、机の天板に載置したＯＡ機器等のケーブルやコード類を配線する配線機能付き机に係り、特に、配線ダクトの取付構造に関する。
【背景技術】
【０００２】
左右の脚体の後端部間に横連結杆を設け、この横連結杆の前面に、上向コ字状断面をなす配線ダクトを取付けてなる机は、例えば特許文献１に記載されており、公知である。
【特許文献１】特開２００３−１２５８５０号公報（図２）
【発明の開示】
【発明が解決しようとする課題】
【０００３】
上記特許文献１に記載されている机においては、横連結杆（取付板）の前面及びそれに当接する配線ダクトの後端の上向き片（背面板）は、共に垂直状をなしているため、足を脚体間の奥部に深く挿入した安楽姿勢で椅子に着座した際などにおいて、膝等により配線ダクトが下方より強く押し上げられると、その上向きの力が配線ダクトに直接作用することとなる。
【０００４】
その結果、上向き片に設けた下向きフックが、横連結杆の前面の係止溝より離脱し、配線ダクトが外れたり、上下方向にがたついたりする恐れがある。
また、横連結杆の前面及び配線ダクトの上向き片が垂直をなしていると、配線ダクトに加わる垂直荷重が、下向きフックに直接作用するため、配線ダクトの耐荷重性が制限される。
【０００５】
本発明は、上記問題点に鑑みてなされたもので、配線ダクトを外れにくくし、安定して取付けうるようにするとともに、フックに加わる荷重を軽減して、耐荷重性を大としうるようにした配線機能付き机を提供することを目的としている。
【課題を解決するための手段】
【０００６】
本発明によると、上記課題は、次のようにして解決される。
（１）左右１対の脚体の上端部に連結した横連結杆の前面に、左右方向を向き、かつ下部開口縁に上向きの係止片を有する係合溝を設け、この係合溝よりも下方の横連結杆の前面を、前傾する傾斜受面とし、側面視ほぼ上向コ字状断面をなす配線ダクトにおける後部の上向き片を、前記傾斜受面と当接しうるように前傾させ、前記上向き片の上端部後面に設けた下向きの係合フックを、前記上向きの係止片に上方より係合することにより、配線ダクトを、その後部の上向き片の後面が前記傾斜受面に当接するようにして横連結杆の前面に取付ける。
【０００７】
（２）上記(１)項において、上向きの係止片を、傾斜受面と連続するように、前方に傾斜させる。
【０００８】
（３）上記(１)または(２)項において、配線ダクトにおける上向き片の上端に、横連結杆における係合溝より上方の前面に圧接する弾性変形可能な押え片を、上向きに突設する。
【０００９】
（４）上記(３)項において、押え片の後面に、係合溝の上部開口縁の下端に係合する突条を設ける。
【００１０】
（５）上記(１)〜(４)項のいずれかにおいて、横連結杆における係合溝よりも上方の前面を、後傾傾斜面とする。
【００１１】
（６）上記(５)項において、後傾傾斜面を、係合溝を中心として下部の傾斜受面と上下対称をなすものとする。
【００１２】
（７）上記(１)〜(６)項のいずれかにおいて、配線ダクトの少なくとも、一方の側端を開放し、その開放端の近傍に、配線ダクトに収容したケーブル類を挿通して床面まで配線するケーブルガードを設ける。
【発明の効果】
【００１３】
請求項１記載の発明によれば、配線ダクトの取付面である横連結杆の前面を、前傾する傾斜受面とし、この傾斜受面に、配線ダクトの後部における前傾させた上向き片を当接させて、それに設けた下向きの係合フックを横連結杆の上向きの係止片に係合することにより、配線ダクトに下方より上向きの力が加わった際に、その力は分力として横連結杆の傾斜受面にも作用することとなる。
その結果、配線ダクトに直接上向きの力が作用することがなくなるので、それが上方に移動するのが規制され、外れにくくなる。
【００１４】
また、傾斜受面が前傾していると、片持ち状態で取付けられている配線ダクトの垂直荷重が、分力として傾斜受面に大きく作用するため、係合フックに直接加わる下向きの荷重が軽減されるとともに、配線ダクトの耐荷重性も大となる。
【００１５】
請求項２記載の発明によれば、配線ダクトの係合フックを、斜め前上方より、横連結杆の係止片に容易に係合させることができる。
【００１６】
請求項３記載の発明によれば、押え片が前向きに弾性変形して横連結杆の前面に圧接する際の反力により、配線ダクトの上向き片が横連結杆の傾斜受面に密着するため、配線ダクトが前後方向にぐらつくのが防止される。
【００１７】
請求項４記載の発明によれば、請求項３との相乗効果により、配線ダクトが横連結杆から、より外れにくくなるとともに、前後及び上下方向へのがたつきも防止され、安定して取付けることができる。
【００１８】
請求項５記載の発明によれば、配線ダクトの上方の開口面が、前後方向に広くなるため、コード類を配線ダクト内に落とし込み易くなる。
【００１９】
請求項６記載の発明によれば、横連結杆を押し出し成形等により容易に製造しうるとともに、それに要する金型等の製作も容易となる。
【００２０】
請求項７記載の発明によれば、配線ダクトに収容したケーブルやコード類を、机の側端から床面まで、外部に露呈させることなく体裁よく配線することができ、かつケーブル類が執務者の足等に引っ掛かるなどの恐れもなくなる。
【発明を実施するための最良の形態】
【００２１】
以下、本発明の実施形態を、図面に基づいて説明する。
図１は、本発明の配線機能付き机の前方斜視図、図２は、同じく側面図、図３は、同じく、机の後部の拡大中央縦断側面図である。
【００２２】
机(１)は、左右１対の脚体(２)(２)と、主天板(３)と、その後方の補助天板(４)とを備えている。
【００２３】
左右の脚体(２)は、前後方向（以下、図２の右方を前として説明する）を向き、かつ前後両端部の下面に高さ調節可能な安定脚(５)(５)が取付けられたべース脚(2a)と、その中央よりもやや後方寄りの上面より起立する脚柱(2b)と、両脚柱(2b)の上端に中央部の下面が固着された前後方向を向く水平な天板支持部材(６)(６)とよりなっている。
【００２４】
左右の脚体(２)同士は、それらの天板支持部材(６)の前端部と後端部の対向面に左右両端が固着された、前部横連結杆(７)と後部横連結杆(８)とにより互いに連結されている。
【００２５】
左右の天板支持部材(６)の前端部には、平行リンク機構よりなる左右１対の主天板支持体(９)の後端が、上下に回動自在に枢着され、この両主天板支持体(９)の前端部には、上記主天板(３)の左右両端部下面が、複数のガススプリング等の高さ調節手段（図示略）により、脚体(２)の前方に大きく突出した状態で、高さと前傾角度とを調節しうるように取付けられている。
【００２６】
補助天板(４)は、その左右両端部の下面が、脚柱(2b)に挿通されるようにして、左右の天板支持部材(６)の中央部に、上方への突出寸法を調節可能に取付けられた上下方向を向く１対の支持杆(10)の上端の前後方向を向くブラケット(11)により、高さ調節可能に支持されている。
【００２７】
主天板(３)は、左右寸法が前方に向かうにしたがって漸次小となるように、両側縁を円弧状に湾曲させてなり、かつ前端縁は凹面状に、後端縁は凸面状に、それぞれ湾曲している。
【００２８】
補助天板(４)は、主天板(３)とは反対に、左右寸法が後方に向かうにしたがって漸次小となるように、両側縁が円弧状に湾曲され、かつ前端縁は、主天板(３)の後端縁と補形をなすように、後方に向かって凹状に湾曲され、互いの対向面間には所要の隙間が形成されている。なお、補助天板(４)の前後寸法は、後記する配線ダクト(17)の後部の開口面の上方を余裕をもって覆いうる大きさとされている。
【００２９】
後部横連結杆(８)は、図４にも拡大して示すように、例えばアルミニウム合金等の押し出し成形品よりなり、その垂直をなす後面には、開口幅が奥部よりも狭幅とされた側面視コ字状断面の上下２条の係合溝(12)(12)が左右方向全長に亘って形成されている。
【００３０】
後部横連結杆(８)の前面における上下方向の中央部には、側面視前向きコ字状断面の係合溝(13)が形成され、その下部の開口縁には、若干斜め前上方を向く上向き係止片(14)が突設されている。
【００３１】
係合溝(13)よりも下方の前面は、上記上向き係止片(14)の前面と同一面に連続するように前傾する、後記配線ダクト(17)の傾斜受面(15)とされている。
係合溝(13)よりも上方の前面は、係合溝(13)を挟んで上記傾斜受面(15)とほぼ対称をなす後傾傾斜面(16)とされている。
【００３２】
(17)は、左右の脚体(２)(２)間において後部横連結杆(８)の前面に取付けられるほぼ上向コ字状断面をなす樋状の配線ダクトで、上記後部横連結杆(８)の傾斜受面(15)とほぼ等しく前傾する上向き基片(17a)と、その下端より斜め前下方に延出する傾斜受片(17b)と、その前端より前向き水平に延出する水平受片(17c)と、この水平受片(17c)の前端よりほぼ垂直に起立する起立片(17d)とを備え、上面と左右両側面は開放されている。
【００３３】
傾斜受片(17b)と水平受片(17c)の上面には、滑り止め用の左右方向を凹条(18)が多数形成されている。
【００３４】
上向き基片(17a)の上端縁には、後部横連結杆(８)の前面の係合溝(13)内において、上向き係止片(14)に上方より係合可能な下向鉤状の係合フック(19)が、左右方向全長に亘って連設されている。
【００３５】
また、上向き基片(17a)の上端のやや後方において、係合フック(19)の上端面には、ほぼ垂直に起立する、前後方向に弾性変形可能な押え片(20)が連設され、この押え片(20)の上端部の後面には、係合溝(13)の上部の開口縁の下端に係合可能な円弧状断面の突条(21)が、左右方向全長に亘って突設されている。
【００３６】
後部横連結杆(８)の前面に配線ダクト(17)を取付けるには、その上向き基片(17a)を係合溝(13)のやや上方に位置させて、係合フック(19)を、係合溝(13)の下縁の上向き係止片(14)に上方より嵌合して係合させる。
【００３７】
この際、押え片(20)の上端の後面が、係合溝(13)の若干上方の前面に当接することにより、前向きに若干弾性変形させられるとともに、この状態で、その突条(21)が係合溝(13)の上部の開口縁の下端に係合する。
【００３８】
これにより、図４に示すように、上向き基片(17a)の後面が、押え片(20)の反力により後部横連結杆(８)の傾斜受面(15)に密着するとともに、突条(21)も係合溝(13)の開口縁の下端に圧接するため、配線ダクト(17)は、前後方向にがたついたり上方に移動したりすることなく、安定して取付けることができる。
【００３９】
配線ダクト(17)の取付後においては、図２及び図３に示すように、その後半部の両側面が、左右の脚柱(2b)の上端部後方において両側方に開放されているため、配線ダクト(17)に収容したＯＡ機器等のケーブルやコード類(Ｃ)を左右いずれか一方に向かって配線し、側方の開放端より導出することができる。
【００４０】
また、側方より導出したケーブルやコード類(Ｃ)は、図１に示すように、複数の短寸の収納管(22)を上下方向に重合して形成されたフレキシブルケーブルカード(23)内に挿通し、床面上まで体裁よく配線することができる。
【００４１】
図３に示すように、左右の天板支持部材(６)（左右対称につき、一方のみ図示する）における上端部の前後方向の中央部内側面には、前後方向を向くとともに、前端部が斜め前下方に傾斜し、かつ前端部が前部横連結杆(７)の後ろ上端の角部付近に向かって水平に延出するスリット状の嵌合凹溝(24)が、互いに対向状に形成されている。
【００４２】
上記左右の嵌合凹溝(24)に、それと補形をなすように、パンチングプレートを折曲して形成された平板状のカバー部材(25)の左右両端部を嵌合することにより、このカバー部材(25)は、配線ダクト(17)のほぼ前半部の上方を覆うようにして、左右の天板支持部材(６)により挟持されて取付けられている。
【００４３】
カバー部材(25)の前端縁は、前部横連結杆(７)の後面上端に形成された左右方向を向く凹溝(26)に挿入され、カバー部材(25)の上面と前部横連結杆(７)の上面とをほぼ同一面に連続させることにより、前部横連結杆(７)の後端とカバー部材(25)の前端との間に隙間が形成されるのを防止するとともに、前部横連結杆(７)もカバー部材の一部として機能するようになっている。
【００４４】
以上説明したように、上記実施形態の机(１)においては、配線ダクト(17)の取付面である後部横連結杆(８)の前部下面を、前傾する傾斜受面(15)とするとともに、配線ダクト(17)の上向き基片(17a)も、傾斜受面(15)とほぼ等しい角度で前傾させ、後部横連結杆(８)の上向き係止片(14)に配線ダクト(17)の係合フック(19)を係合させたとき、傾斜受面(15)に上向き基片(17a)が前傾状態で当接するようになっている。
【００４５】
これにより、執務者が足を脚体内に大きく伸ばした安楽姿勢で机上のＯＡ機器等を操作する際などにおいて、膝等が配線ダクト(17)の下面に当接して、これに上向きの力が加わるなどしても、配線ダクト(17)が外れにくくなる。
【００４６】
すなわち、例えば後部横連結杆(８)における配線ダクト(17)の取付面及び該配線ダクト(17)の上向き基片(17a)を垂直とすると、配線ダクト(17)に加わる上向きの力は、これのみに作用するため、係合フック(19)が係止片(14)より外れ易くなるが、上記のように前傾させると、上向きの力は、分力として後部横連結杆(８)の傾斜受面(15)にも作用するので、配線ダクト(17)は外れにくくなる。
【００４７】
また、傾斜受面(15)が前傾していると、片持ち状態で取付けられている配線ダクト(17)の垂直荷重が、分力として傾斜受面(15)に大きく作用するので配線ダクト(17)の耐荷重性が大きくなるとともに、係合フック(19)に直接加わる垂直荷重も軽減される。
【００４８】
さらに、後部横連結杆(８)の係合溝(13)における上部の開口縁の前面には、配線ダクト(17)の押え片(20)の上端が当接し、かつ押え片(20)の後面の突条(21)が係合溝(13)における開口縁の下端に圧接しているため、配線ダクト(17)は、前後及び上下方向に移動することなく、安定して取付けられる。
【００４９】
後部横連結杆(８)の上向き係止片(14)は、前傾しているため、それに配線ダクト(17)の係合フック(19)を容易に係合させることができる。
また、後部横連結杆(８)の前面上部は、後傾傾斜面とされているので、カバー部材(25)の後端と後部横連結杆(８)の上端部間の間隔が大となり、コード類(Ｃ)を配線ダクト(17)内に落とし込み易くなる。
【００５０】
左右の脚体(２)間の上端部、すなわち左右の天板支持部材(６)(６)の上端間には、平板状のカバー部材(25)が、配線ダクト(17)の前半部上方を覆うようにして設けられているため、配線ダクト(17)及びその中に収容して配線されたコード類(Ｃ)が、主天板(３)と補助天板(４)との間の上方より露見されることがなくなり、体裁が向上する。
【００５１】
また、前後寸法の小さい補助天板(４)を取付けた際などにおいて、それより滑落した物品はカバー部材(25)上に落下するので、床面や配線ダクト(17)内に落下しにくくなる。
【００５２】
さらに、補助天板(４)上に載置したＯＡ機器等のコード類を、主天板(３)との間の隙間を通して配線ダクト(17)に配線する際に、カバー部材(25)の上面により受支して、その後端より配線ダクト(17)内に整然と配線したり、余長コードをカバー部材(25)の上面に載置したりすることができる。
【図面の簡単な説明】
【００５３】
【図１】本発明の配線機能付き机の斜視図である。
【図２】同じく側面図である。
【図３】同じく、要部の中央縦断拡大側面図である。
【図４】後部横連結杆への配線ダクト取付部の拡大縦断側面図である。
【符号の説明】
【００５４】
(１)机
(２)脚体
(2a)ベース脚
(2b)脚柱
(３)主天板
(４)補助天板
(５)安定脚
(６)天板支持部材
(７)前部横連結杆
(８)後部横連結杆
(９)主天板支持体
(10)支持杆
(11)ブラケット
(12)(13)係合溝
(14)上向き係止片
(15)傾斜受面
(16)後傾傾斜面
(17)配線ダクト
(17a)上向き基片（上向き片）
(17b)傾斜受片
(17c)水平受片
(17d)起立片
(18)凹条
(19)係合フック
(20)押え片
(21)突条
(22)収納管
(23)フレキシブルケーブルガード
(24)嵌合凹溝
(25)カバー部材
(26)凹溝
(Ｃ)コード類
【図１】
0004579088.tif 000002
【図２】
0004579088.tif 000003
【図３】
0004579088.tif 000004
【図４】
0004579088.tif 000005